(57)【要約】  シートリクライナ・ラッチは、筺体と、筺体によって回転可能に支持される上部四半部と、筺体によって支持され上部四半部と動作可能に係合されるリクライナ機構と、筺体によって角変位可能に支持され床のストライカと選択的に係合されるように動作可能なラッチ機構とを有する。作動機構は、リクライナおよびラッチ機構と動作可能に連結され、リクライナ機構が上部四半部の回転調節を可能にする第１の位置と、ラッチ機構がストライカと非係合する第２の位置とで動作可能である。ラッチ機構は、ピボット軸回りに角変位可能に支持され、ラッチ機構は、シートがリモート軸回りに倒されるとピボット軸回りに回転する。インターロックは、ラッチ機構と係合され、四半部と選択的に係合される。インターロックは、ラッチ機構がストライカから解放されたときに四半部の回転範囲を制限する。
2005511377.tif 000002
【特許請求の範囲】
【請求項１】
ストライカを含む床と選択的に係合可能であり、前記床に対するリモート軸回りに角変位可能なシートで実施するためのシートリクライナ・ラッチ装置において、
筺体と、
前記筺体によって回転可能に支持される上部四半部と、
前記筺体によって支持され前記上部四半部と動作可能に係合されるリクライナ機構と、
前記筺体によって角変位可能に支持され、前記床の前記ストライカと選択的に係合されるように動作可能なラッチ機構と、
前記リクライナ機構および前記ラッチ機構と共に動作可能な作動機構とを有し、
前記作動機構は、前記リクライナ機構が前記筺体に対する前記上部四半部の選択的な回転調節を可能にするように動作可能な第１の位置と、前記ラッチ機構が前記ストライカを解放するように動作可能な第２の位置で動作可能であることを特徴とする、シートリクライナ・ラッチ装置。
【請求項２】
前記ラッチ機構を角変位可能に支持するピボット軸をさらに有し、
前記ラッチ機構は、前記シートが前記リモート軸回りに角変位すると前記ピボット軸回りに回転することを特徴とする、請求項１記載のシートリクライナ・ラッチ装置。
【請求項３】
前記ラッチ機構と動作可能に係合され、前記上部四半部と選択的に係合されるインターロックをさらに有し、前記インターロックは、前記ラッチ機構が前記ストライカから解放されたとき前記上部四半部の回転範囲を制限することを特徴とする、請求項１記載のシートリクライナ・ラッチ装置。
【請求項４】
前記リクライナ機構は、
前記筺体によって角変位可能に支持され前記作動機構に動作可能に相互接続されるリクライナカムと、
前記筺体によって角変位可能に支持され、前記リクライナカムと共に動作可能であり、前記上部四半部と選択的に係合して前記上部四半部の回転を防止するつめとを含むことを特徴とする、請求項１記載のシートリクライナ・ラッチ装置。
【請求項５】
前記ラッチ機構は、
前記筺体によって角変位可能に支持され、前記ストライカと選択的に係合されるラッチと、
前記筺体によって角変位可能に支持され、前記ラッチと選択的に係合して前記ラッチの角変位を防止するロッキングレバーとを含むことを特徴とする、請求項１記載のシートリクライナ・ラッチ装置。
【請求項６】
前記ラッチおよび前記ロッキング部材は、互いの相対的な角変位を付勢するように弾性的に相互接続されることを特徴とする、請求項５記載のシートリクライナ・ラッチ装置。
【請求項７】
前記作動機構は、
前記リクライナ機構と選択的に係合される作動レバーと、
前記作動レバーおよび前記ラッチ機構と選択的に係合される伝達板とを含むことを特徴とする、請求項１記載のシートリクライナ・ラッチ装置。
【請求項８】
前記作動レバーは３つの位置、すなわち、前記作動機構が前記リクライナ機構および前記ラッチ機構の両方から解放される中立位置、前記作動機構が前記リクライナ機構と係合される前記第１の位置、および、前記作動機構が前記リクライナ機構および前記ラッチ機構の両方と係合される前記第２の位置で動作可能であることを特徴とする、請求項７記載のシートリクライナ・ラッチ装置。
【請求項９】
第１および第２のストライカを含む床と選択的に係合可能であり、前記床に対してリモート軸回りに角変位可能な、シートで実施するためのシートリクライナ・ラッチ装置であって、
第１の筺体と、
前記第１の筺体によって回転可能に支持される第１の四半部と、
前記第１の筺体によって支持され前記第１の四半部および作動レバーと動作可能に係合される第１のリクライナ機構と、
上記第１の筺体によって角変位可能に支持され、前記第１のリクライナ機構と動作可能に係合される第１のラッチ機構と、を含む第１の半装置と、
第２の筺体と、
前記第２の筺体によって回転可能に支持される第２の四半部と、
前記第２の筺体によって支持され前記第２の四半部と動作可能に係合される第２のリクライナ機構と、
前記第２の筺体によって角変位可能に支持され、前記床の前記第２のストイカと選択的に係合するように動作可能な第２のラッチ機構と、を含む第２の半装置と、
前記第１および第２のリクライナ機構と前記第１および第２のラッチ機構と共に動作可能な作動機構とを有し、
前記作動機構は、前記第１および第２のリクライナ機構が前記第１および第２の筺体に対する前記第１および第２の四半部の選択的な回転調節を可能にするように動作可能な第１の位置と、前記第１および第２のラッチ機構が前記第１および第２のストライカを解放するように動作可能な第２の位置とで動作可能であることを特徴とする、シートリクライナ・ラッチ装置。
【請求項１０】
前記第２のラッチ機構を角変位可能に支持するピボット軸をさらに有し、前記第２のラッチ機構は、前記シートが前記リモート軸回りに角変位すると前記ピボット軸回りに回転することを特徴とする、請求項９記載のシートリクライナ・ラッチ装置。
【請求項１１】
前記第２のラッチ機構と動作可能に係合され、前記第１の四半部と選択的に係合されるインターロックをさらに有し、前記インターロックは、前記第２のラッチ機構が前記第２のストライカから解放されるとき前記第１の四半部の回転範囲を制限することを特徴とする、請求項９記載のシートリクライナ・ラッチ装置。
【請求項１２】
前記第１のリクライナ機構は、
前記第１の筺体によって角変位可能に支持され前記第１の作動機構に動作可能に相互接続されるリクライナカムと、
前記第１の筺体によって角変位可能に支持され、前記リクライナカムと共に動作可能であり、前記第１の四半部と選択的に係合して前記第１の四半部の回転を防止するつめとを含むことを特徴とする、請求項９記載のシートリクライナ・ラッチ装置。
【請求項１３】
前記第１のラッチ機構は、
前記第１の筺体によって角変位可能に支持され、前記第１のストライカと選択的に係合されるラッチと、
前記第１の筺体によって角変位可能に支持され、前記ラッチと選択的に係合して前記ラッチの角変位を防止するロッキングレバーとを含むことを特徴とする、請求項９記載のシートリクライナ・ラッチ装置。
【請求項１４】
前記ラッチおよび前記ロッキング部材は、互いの相対的な角変位可能な回転を付勢するように弾性的に相互接続されることを特徴とする、請求項１３記載のシートリクライナ・ラッチ装置。
【請求項１５】
前記第２のリクライナ機構は、
前記第２の筺体によって角変位可能に支持され前記第２の作動機構に動作可能に相互接続されるリクライナカムと、
前記第２の筺体によって角変位可能に支持され、前記第２のリクライナカムと共に動作可能であり、前記第２の四半部と選択的に係合して前記第２の四半部の回転を防止するつめとを含むことを特徴とする、請求項９記載のシートリクライナ・ラッチ装置。
【請求項１６】
前記第２のラッチ機構は、
前記第２の筺体によって角変位可能に支持され、前記第２のストライカと選択的に係合されるラッチと、
前記第２の筺体によって角変位可能に支持され、前記ラッチと選択的に係合して前記ラッチの角変位を防止するロッキングレバーとを含むことを特徴とする、請求項９記載のシートリクライナ・ラッチ装置。
【請求項１７】
前記ラッチおよび前記ロッキング部材は、互いの相対的な角変位可能な回転を付勢するように弾性的に相互接続されることを特徴とする、請求項１６記載のシートリクライナ・ラッチ装置。
【請求項１８】
前記作動機構は、
前記第１のリクライナ機構と選択的に係合される作動レバーと、
前記作動レバーおよび前記第１のラッチ機構と選択的に係合される伝達板と、
前記作動レバーと共に動作可能であり、前記第２のリクライナ機構と選択的に係合される作動板とを含むことを特徴とする、請求項１記載のシートリクライナ・ラッチ装置。
【請求項１９】
前記第２のラッチ機構は、前記伝達板と共に動作可能であることを特徴とする、請求項１８記載のシートリクライナ・ラッチ装置。
【請求項２０】
前記作動レバーは３つの位置、すなわち、前記作動機構が前記第１および第２のリクライナ機構、および、前記ラッチ機構から解放される中立位置、前記作動機構が前記第１および第２のリクライナ機構と係合される前記第１の位置、および、前記作動機構が前記第１および第２のリクライナ機構および前記第１のラッチ機構と係合される前記第２の位置で動作可能であることを特徴とする、請求項１８記載のシートリクライナ・ラッチ装置。
【請求項２１】
床のストライカと選択的に係合され、前記床に対して倒されるシート組立体であって、
シートと、
前記シートに対して角変位可能に支持されるバックシートと、
前記シートおよび前記バックシートを動作可能に支持するリクライナ・ラッチ装置とを有し、前記リクライナ・ラッチ装置は、
前記シートを支持する筺体と、
前記筺体によって回転可能に支持され前記バックシートが固定される上部四半部と、
前記筺体によって支持され前記上部四半部と動作可能に係合されるリクライナ機構と、
前記筺体によって角変位可能に支持され、前記床の前記ストライカと選択的に係合されるように動作可能なラッチ機構、および、
前記リクライナ機構および前記ラッチ機構と共に動作可能な作動機構とを含み、
前記作動機構は、前記リクライナ機構が前記筺体に対する前記上部四半部の選択的な回転調節を可能にするように動作可能な第１の位置と、前記ラッチ機構が前記ストライカを解放するように動作可能な第２の位置とで動作可能であることを特徴とする、シート組立体。
【請求項２２】
前記ラッチ機構を角変位可能に支持するピボット軸をさらに有し、
前記ラッチ機構は、前記シートが前記リモート軸回りに角変位すると前記ピボット軸回りに回転することを特徴とする、請求項２１記載のシート組立体。
【請求項２３】
前記ラッチ機構と動作可能に係合し、前記上部四半部と選択的に係合されるインターロックをさらに有し、前記インターロックは、前記ラッチ機構が前記ストライカから解放されるとき前記四半部の回転範囲を制限することを特徴とする、請求項２１記載のシート組立体。
【請求項２４】
前記リクライナ機構は、
前記筺体によって角変位可能に支持され前記作動機構に動作可能に相互接続されるリクライナカムと、
前記筺体によって角変位可能に支持され、前記リクライナカムと共に動作可能であり、前記上部四半部と選択的に係合して前記上部四半部の回転を防止するつめとを含むことを特徴とする、請求項１記載のシートシート組立体。
【請求項２５】
前記ラッチ機構は、
前記筺体によって角変位可能に支持され、前記ストライカと選択的に係合されるラッチと、
前記筺体によって角変位可能に支持され、前記ラッチと選択的に係合して前記ラッチの角変位を防止するロッキングレバーとを含むことを特徴とする、請求項１記載のシート組立体。
【請求項２６】
前記ラッチおよび前記ロッキング部材は、互いの相対的な角変位可能な回転を付勢するように弾性的に相互接続されることを特徴とする、請求項５記載のシート組立体。
【請求項２７】
前記作動機構は、
前記リクライナ機構と選択的に係合される作動レバーと、
前記作動レバーおよび前記ラッチ機構と選択的に係合される伝達板とを含むことを特徴とする、請求項１記載のシート組立体。
【請求項２８】
前記作動レバーは３つの位置、すなわち、前記作動機構が前記リクライナ機構および前記ラッチ機構の両方から解放される中立位置、前記作動機構が前記リクライナ機構と係合される前記第１の位置、および、前記作動機構が前記リクライナ機構および前記ラッチ機構の両方と係合される前記第２の位置で動作可能であることを特徴とする、請求項２７記載のシート組立体。
【発明の詳細な説明】
【技術分野】
【０００１】
本発明は、シート組立体用のリクライナおよびフロアラッチ機構に関し、より詳細には、シート組立体用の統合されたリクライナおよびフロアラッチ機構に関する。
【背景技術】
【０００２】
たとえば車両などで使用されるシート組立体は、通常、シートに対するバックシートのリクライニング運動を可能にさせるリクライナ機構を含む。多くのシート組立体は、前方ピボット軸まわりに折りたたみ可能であり、車両内に床の空きを追加したり、折りたたむことができなければふさがれているところに近づくことが可能となる。シート組立体リクライニング操作と積み込みを可能にするために、統合されたリクライナおよびフロアラッチ機構が従来から組立体として設けられている。フロアラッチ機構は、典型的には、シートから下方に延び、床と選択的に係合される。一般的には、第１の方向にレバーが作動されると、リクライナ機構が作動され、シートに対するバックシートのリクライニング運動が可能となる。レバーがさらに作動されると、フロアラッチ機構が作動され、シート組立体の床との係合が解除され、全シート組立体が前方に角変位可能となる。
【０００３】
従来のシート組立体は、シート組立体が床と正しく係合していなくても、バックシートがシートに対して完全に動作可能でかつ位置付け可能であるという非常に不都合な点を有する。このようなものでは、シート利用者は、シート組立体がフロアラッチ機構を介して床と正しく係合されていると勘違いして、シートに座ることがある。床に対するシート組立体の正しくない固定は、場合によっては危険であり、特に、事故の場合には危険である。従来のシート組立体の第２の不都合な点は、下方に延びるフロアラッチ機構が、前方ダンピングまたは積み込み位置にあるときにシート組立体から外側へ突出するため、車両へのアクセスの妨げとなる点である。
【発明の開示】
【発明が解決しようとする課題】
【０００４】
したがって、当該技術の分野において、シートリクライナおよびフロアラッチ機構をシートの両側に含む組合せ型シートリクライナおよびフロアラッチ組立体を提供することが望ましい。さらに、シートリクライナおよびフロアラッチ機構は、単一の作動レバーから動作可能であることが望ましい。作動レバーは、リクライナ機構の作動を可能にする第１の位置とフロアラッチ機構の作動を可能にする第２の位置との間で動作可能であることが好ましい。
【０００５】
さらにまた、当該技術の分野において、フロアラッチが正しく固定されていないときには、バックシートが前方に倒された位置から戻ることを禁止する、シートリクライナおよびフロアラッチ機構用のインターロックを提供することが望ましい。
【０００６】
さらにまた、当該技術の分野業において、シートの後ろにある空き領域へのアクセスを改善するために、シートがダンピング位置に角変位されたままでフロアラッチの積み込み運動を可能にする、動的リクライナおよびフロアラッチ機構を提供することが望ましい。
【課題を解決するための手段】
【０００７】
したがって、本発明は、シートラッチ・リクライナ装置を提供する。シートラッチ・リクライナ装置は、第１および第２のストライカを有する床と選択的に係合可能であり、床に対して離れたリモート軸回りに角変位可能であるシートで実施される。シートリクライナ・ラッチ装置は、第１および第２の半装置を有する。第１の半装置は、第１の筺体、第１の筺体によって回転可能に支持される第１の四半部、第１の筺体によって支持され第１の四半部および作動レバーと動作可能に係合される第１のリクライナ機構、および第１の筺体によって角変位可能に支持され、第１のリクライナ機構と動作可能に係合される第１のラッチ機構を含む。第２の半装置は、第２の筺体、第２の筺体によって回転可能に支持される第２の四半部、第２の筺体によって支持され第２の四半部と動作可能に係合される第２のリクライナ機構、および、第２の筺体によって角変位可能に支持され、床の第２のストライカと選択的に係合されるように動作可能な第２のラッチ機構を含む。作動機構が設けられ、作動機構は、第１および第２のリクライナ機構と、第１および第２のラッチ機構と動作可能に連結されている。作動機構は、第１および第２のリクライナ機構が第１および第２の筺体に対する第１および第２の四半部の選択的な回転調節を可能にするように動作可能である第１の位置と、第１および第２のラッチ機構が第１および第２のストライカを解放するように動作可能な第２の位置で動作可能である。
【０００８】
シートリクライナ・ラッチ装置は、ピボット軸をさらに有し、第２のラッチ機構は、ピボット軸回りに角変位可能に支持される。第２のラッチ機構は、シートがリモート軸回りに角変位するとピボット軸回りに回転する。
【０００９】
さらには、シートリクライナ・ラッチ装置は、第２のラッチ機構と動作可能に係合され、第１の四半部と選択的に係合されるインターロックを含む。インターロックは、第２のラッチ機構が第２のストライカから解放されるとき第１の四半部の回転範囲を制限する。
【００１０】
本発明は、以下の詳細な説明および添付の図面を参照してよりよく理解されるであろう。
【発明を実施するための最良の形態】
【００１１】
好ましい実施の形態の以下の説明は、本質的には例示的なものにすぎず、本発明、その応用、および、使用を制限するものではない。
【００１２】
図１〜図８を参照すると、シート組立体と使用され、シートに対してバックシートのリクライニングまたは前方への倒しを可能にする第１のモードと、シート組立体の前方へのダンピングを可能にする第２のモードとで動作可能である、組合せ型リクライナ・フロアラッチ（ＲＦＬ）組立体１０が示されている。ＲＦＬ機構１０は、リクライナ機構１６ａ，１５ｂ、および、フロアラッチ機構１８ａ，１８ｂをそれぞれ含む、動作可能に相互接続される第１および第２の半ＲＦＬ１２，１４を有する。Ｘ軸回りにバックシート支持部を選択的に位置決めするリクライナ機構１６ａ，１６ｂと動作可能に相互接続される、上方に延びるバックシート支持部２０ａ，２０ｂが設けられる。図９〜図１１、および、以下に詳細に説明するように、フロアラッチ機構１８ａ，１８ｂは、シート組立体を固定するように床に配置された１対のストライカと選択的に係合される。
【００１３】
第１の半ＲＦＬ１２は、内側板２２および外側板２４を含み、リクライナ機構１６ａおよびフロアラッチ機構１８ａが間で動作可能に支持されている。バックシート支持部２０ａは、内側板２２と外側板２４との間で角変位可能に支持され、バックシート支持部２０ａを角変位可能に位置決めするようにリクライナ機構１８ａと選択的に係合される。作動レバー２６は、内側板２２と外側板２４との間で角変位可能に支持され、リクライナ機構１６ａおよびフロアラッチ機構１８ａ、ならびに、第２の半ＲＦＬ１４のリクライナ機構１６ｂと動作可能に係合される。
【００１４】
バックシート支持部２０ａは、貫通するピボット孔３２ａ、および、アーチ形の縁３４ａを含む略三角形の板３０ａを有する。アーチ形の縁３４ａの一部分には、複数の歯３６ａおよびインターロックノッチ３８ａが設けられる。バックシートフレームを取付けるために補助孔４０ａが設けられる。バックシート支持部２０ａは、バックシート支持ピボット４２によって内側板２２および外側板２４の間で角変位可能に支持される。バックシート支持ピボット４２は、ディスク端４４、キー付き円筒部分４６、軸受面５０を有する第１の円筒部分５４、第２の円筒部分５２、および、直径にわたるノッチ５６を有する第３の円筒部分５４より構成される。支持ピボット４２は、内側板２２のキー付き孔５８、バックシート支持部２０ａのピボット孔３２ａ、および、外側板２４のピボット孔６０を通って受容される。キー付き円筒部分４６は、内側板２２のキー付き孔５８と合わされ、内側板２２および外側板２４に対して回転しないように支持ピボット４２を固定する。第１の円筒部分４８がバックシート支持部２０ａのピボット孔３２ａ内で合わされることでバックシート支持部２０ａは軸受面５０のまわりに角変位する。第２の円筒延長部分５２は、外側板２４のピボット孔６０と合わされ、第３の円筒部分５４はピボット孔６０から延びる。
【００１５】
バックシート支持部２０ａは、第３の円筒部分５４の直径ノッチ５６と係合される中央フラット６４、および、バックシート支持部２０ａから延びるポスト６８と係合される、外方に延びるアーム６６を含むコイルばね６２によって付勢される。バックシート支持部２０ａが図２において時計方向（ＣＷ）に角変位される、もしくは、リクライニングされると、ポスト６８はリクライニング動作に対して付勢するように延びるアーム６６と係合される。
【００１６】
内側板２２の上縁７０および外側板２４の上縁７２は、両端にシート７４が設けられた略アーチ形の形状を有する。バックシート支持部２０ａが内側板２２および外側板２４に対して角変位すると、ポスト６８は、シート７４と当接し、内側板２２および外側板２４に対するバックシート支持部２０ａのさらなる角変位が防止される。したがって、バックシート支持部２０ａの角変位運動範囲が定められる。
【００１７】
リクライナ機構１６ａは、内側板２２および外側板２４の間で角変位可能に支持されるつめ７６ａおよびリクライナカム７８ａを含む。リクライナカム７８ａは、つめ７６ａを選択的に付勢してバックシート支持部２０ａと係合させ、バックシート支持部２０ａを定位置に固定する。リクライナカム７８ａは、作動レバー２６と動作可能に相互接続されるため、作動レバー２６の動きはつめ７６ａと選択的に係合または非係合させるようにリクライナカム７８ａを同時に動かす。
【００１８】
作動レバー２６は、レバーアーム８０を含む平坦板、キー付きスピンドル孔８２、作動ノッチ８４、および、湾曲した伝達アーム８６を一般的に有する。作動レバー２６は、スピンドル８８によって内側板２２および外側板２４の間で角変位可能に支持される。スピンドル８８は、フラット９２およびノッチ９４を備えた円錐状の円筒部分９０、軸受面９８を有する第２の円筒部分９６、キー１０２が設けられたキー付き円筒部分１００、中央ディスク形部分１０４、および、ノッチ１０８が設けられた第４の円筒部分１０６を含む。スピンドル８８は、スピンドル孔８２を通って受容され、キー付き円筒部分１００のキー１０２はスピンドル孔８２のキーと合わされ、スピンドル孔８２内におけるスピンドル８８の相対的な回転運動を防止する。スピンドル８８は、さらに、内側板２２および外側板２４の１対の支持孔１０７を通され、スピンドル８８が板間で支持される。
【００１９】
作動レバー２６は、コイルばね１１０によって中立位置で回転可能に付勢される。コイルばね１１０は、中央フラット１１２および外方に延びるアーム１１４を含む。中央フラット１１２は、第４の円筒部分１０６のノッチ１０８によって受容され、延在アーム１１４は外側板２４のアンカーポイント１１６と係合される。作動レバー２６が中立位置から回転されると、コイルバネ１１０は、作動レバー２６を中立位置に戻すように付勢する。湾曲した伝達アーム８６は、伝達アーム８６から垂直方向に延在し内側板２２のアーチ形の孔１２０内に部分的に配置される伝達リベット１１８を含むため、作動レバー２６の運動範囲は定められる。
【００２０】
つめ７６ａは、ピボット孔１２２ａ、複数の歯１２４ａ、係合フラット１２６ａ、および、非係合凹み１２８ａを含む。つめ７６ａの複数の歯１２４ａは、バックシート支持部２０ａの複数の歯３６ａと選択的に係合され、内側板２２および外側板２４に対するバックシート支持部２０ａの複数の角変位位置（すなわち、リクライニング位置）を制限する。つめ７６ａは、軸受面１３４ａを有する中央円筒部分１３２ａ、および、延びる側のより小さい円筒部分１３６ａを含むつめスピンドル１３０ａによって角変位可能に支持される。中央円筒部分１３２ａは、つめ７６ａのピボット孔１２２ａと合わされ、側円筒部分１３６ａは内側板２２および外側板２４の孔１３８ａにそれぞれ受容される。
【００２１】
内側板２２および外側板２４を離間するためにスペーサ１２９がさらに設けられる。スペーサ１２９は、中央円筒部分１３１および側円筒部分１３３を含む。側円筒部分１３３が内側板２２および外側板２４の孔１３７に受容されることでスペーサ１２９が間で支持される。中央円筒部分１３１の幅は、内側板２２および外側板２４の間の距離を定める。
【００２２】
リクライナカム７８ａは、ピボット孔１４０ａ、係合縁１４４ａを有する係合アーム１４２ａ、および、ポスト孔１４８ａが設けられた作動アーム１４６ａを含む。リクライナカム７８ａの係合アーム１４２ａは、つめ７６ａの係合フラット１２６ａ、および、非係合凹み１２８ａと選択的に係合される。作動ポスト１５０ａは、リクライナカム７８ａのポスト孔１４８ａを通って、そこから垂直方向に延在し、作動レバー２６の作動ノッチ８４と係合され、内側板２２のアーチ形のスロット１５２を通って延びる。作動レバー２６が中立位置から角変位すると、作動ノッチ８４の縁が作動ポスト１５０ａをリクライナカム７８ａと係合させ、リクライナカム７８ａが動かされる。係合位置では、リクライナカム７８ａの係合縁１４４ａはつめ７６ａの係合フラット１２６ａに対して押し上げられ、つめ７６ａをバックシート支持部２０ａと係合させる。非係合位置では、係合アーム１４２ａは、つめ７６ａの非係合凹み１２８ｂ内で位置決めされ、つめ７６ａをバックシート支持部２０ａから解放させる。
【００２３】
リクライナカム７８ａは、ピボット１５１ａ回りに内側板２２および外側板２４の間で角変位可能に支持される。ピボット１５１ａは、中央ディスク部分１５３ａ、軸受面１５７ａを有する円筒部分１５５ａ、および、側円筒部分１５９ａを含む。ピボット１５１ａは、ピボット孔１４０ａを通され、軸受面１５７ａのまわりでリクライナカム７８ａを回転可能に支持する。側円筒部分１５９ａは、ピボット１５１ａが間で支持されるように内側板２２および外側板２４の孔１６１に受容される。
【００２４】
フロアラッチ機構１８ａは、内側板２２および外側板２４の間で角変位可能に支持され、上伝達ノッチ１６２、下伝達ノッチ１６４、リベット孔１６６、および、伝達ケーブル取付け点１６８を含む伝達レバー１６０を介して作動レバー２６と共に動作可能である。伝達レバー１６０は、ディスク端１７２、軸受面１７６を有する第１の円筒部分１７４、および、第２の円筒部分１７８を含むリベット１７０によって角変位可能に支持される。リベット１７０は、伝達レバー１６０のリベット孔１６６を通って受容され、第１の円筒部分１７４はリベット孔１６６と合わされ、第２の円筒部分１７４は外側板２４の孔１８０を通って延びる。第２の円筒部分１７８は、伝達レバー１６０を外側板２４に固定するように変形可能である一方で、軸受面１７６のまわりでの伝達レバー１６０の角変位運動を可能にする。伝達レバー１６０の上伝達ノッチ１６２は、作動レバー２６の伝達リベット１１８と選択的に係合される。作動レバー２６が十分に回転されると、伝達リベット１１８は伝達レバー１６０の上伝達ノッチ１６２と係合され、そのＣＷ回転を弱める。下伝達ノッチ１６４は、フロアラッチ機構１８ａと動作可能に係合される。伝達ケーブル１８２は、伝達ケーブル取付け点１６８に取付けられ、伝達レバー１６０と第２の半ＲＦＬ１４とを動作可能に相互接続し、その同時作動を可能にする。
【００２５】
内側板２２および外側板２４を離間するためにスペーサ１８１が設けられる。スペーサ１８１は、中央円筒部分１８３、および、側円筒部分１８５を含む。側円筒部分１８５は、内側板２２および外側板２４の孔１８７に受容され、板間で支持される。中央円筒部分１８３の幅は、内側板２２および外側板２４の間の距離を定める。
【００２６】
フロアラッチ機構１８ａは、ラッチ解除レバー１８４ａ、ロッキングレバー１８６ａ、および、ラッチ１８８ａを含み、それぞれ支持板１９０ａの間で角変位可能に支持される。ラッチ解除レバー１８４は、ピボット孔１９２、取付け孔１９４、ばね孔１９６、および、上アーム１９８を含み、伝達リベット２００は上アーム１９８から延在し、伝達レバー１６０の下伝達ノッチ１６４と係合される。ロッキングレバー１８６ａは、ピボット孔２０２ａ、取付け孔２０４ａ、および、ばね孔２０６ａを含む。ラッチ解除レバー１８４ａおよびロッキングレバー１８６ａは、隣接して整列され、軸受面２１２ａを有する中央円筒部分２１０ａ、および、側円筒部分２１４ａを含む共通のピボット２０８ａ回りに角変位可能に支持される。中央円筒部分２１０ａは、ラッチ解除およびロッキングレバー１８４ａ，１８６ａのピボット孔１９２，２０２ａ、および、支持板１９０ａの孔２１６ａを通って受容される。側円筒部分２１４ａは、フロアラッチ１８ａを間で支持するように内側板２２および外側板２４の孔２１８に受容される。
【００２７】
ラッチ１８８ａは、ラッチングノッチ２２０ａ、ピボット孔２２２ａ、ばね取付け孔２２４ａ、および、ロッキング面２２６ａを含む。ラッチ１８８ａは、軸受面２３２ａを有する中央円筒部分２３０ａ、および、側円筒部分２３４ａを含むピボット２２８ａ回りに支持板１９０ａで角変位可能に支持される。中央円筒部分２３０ａは、ラッチ１８８ａのピボット孔２２２ａを通って受容され、側円筒部分２３０ａは支持板１９０ａの孔２３５ａを通って受容され内側板２２および外側板２４の孔２３６を通され、フロアラッチ機構１８ａが間で支持される。ばね２３８は、ラッチ解除およびロッキングレバー１８４ａ，１８６ａ、および、ラッチ１８８ａの間で固定される。このようにして、ロッキングレバー１８６ａのロッキングナブ２４０ａは、ラッチ１８８ａを固定するように付勢されラッチ１８８ａのロッキング面２２６ａと係合される。
【００２８】
各支持板１９０ａは、上フラット２４４ａおよび外方アンカー延長部２４６ａを有するストライカ凹み２４２ａを含む。アンカー延長部２４６ａは、フロアラッチ機構１８ａを間で支持するように内側板２２および外側板２４の対応する孔２４８内に位置される。内側板２２および外側板２４は、以下に詳細に説明するように、ストライカを受容するストライカ孔２５０をそれぞれ含む。
【００２９】
第１の半ＲＦＬ１２は、いずれかのフロアラッチ機構１８ａ，１８ｂがストライカに正しくラッチされていない場合に、使用位置または直立位置にバックシート支持部２０ａを位置決めすることを防止するためにインターロック板２６０をさらに含む。インターロック板２６０は、ピボット２６２によって外側板２４の外表面に隣接して角変位可能に支持され、外側板２４のノッチ２６５を介してバックシート支持部２０ａと選択的に係合するインターロックポスト２６４を含む。ピボット２６２は、孔２６７を介して外側板２４によって支持される。ワイヤばね２６６は、インターロック板２６０に付勢力を加えるためにピボット２６２のまわりに配置される。このようにして、インターロックポスト２６４は、バックシート支持部２０ａと係合されるように付勢される。しかしながら、ケーブルブラケット２６９によって支持されるインターロックケーブル２６８は、インターロック板２６０と第２の半ＲＦＬ１４とを動作可能に相互接続させる。以下に詳細に説明するように、フロアラッチ機構１８ａ，１８ｂの両方が正しく係合されているときインターロックケーブル２６８は引っ張られた状態にあり、それによって、ばね２６６の付勢に対してインターロック板２６０が引っ張られ、バックシート支持部２０ａが前方に倒された位置から使用または直立位置に戻ることが可能となる。他方で、フロアラッチ機構１８ａ，１８ｂのいずれかが正しく固定されていない場合、インターロックケーブル２６８はたるみ、ワイヤばね２６６によってバックシート支持部２０ａと係合されるようにインターロック板２６０を付勢する。この状況において、前方に倒された位置からのバックシート支持部２０ａの戻り回転は、インターロックポスト２６４をインターロックノッチ３８ａと係合させ、それによって、バックシート支持部２０ａが使用または直立位置に戻ることが防止される。
【００３０】
第２の半ＲＦＬ１４は、ブラケット２７０によって相互接続されるリクライナ部分１４ａ、および、フロアラッチ部分１４ｂを含む。リクライナ部分１４ａは、第１の半ＲＦＬ１２の作動レバー２６と動作可能に係合するリクライナ機構１６ｂを含む。フロアラッチ部分１４ｂは、第１の半ＲＦＬ１２の伝達レバー１６０と動作可能に係合するフロアラッチ機構１８ｂを含む。以下に詳細に説明するように、第１の位置への作動レバー２６の動作は、第１および第２の半ＲＦＬ１２，１４のリクライナ機構１６ａ，１６ｂを同時に動作させ、さらに、第２の位置への作動レバー２６の更なる動作は第１および第２の半ＲＦＬ１２，１４のフロアラッチ機構１８ａ，１８ｂを同時に動作させる。
【００３１】
第２の半ＲＦＬ１４のリクライナ部分１４ａは、バックシート支持部２０ｂ、および、支持するリクライナ機構１６ｂを角変位可能に支持する内側板２７２および外側板２７４を有する。バックシート支持部２０ｂは、貫通するピボット孔３２ｂおよびアーチ形の縁３４ｂを含む略三角形の板３０ｂを有する。アーチ形の縁３４ｂの一部分には、複数の歯３６ｂおよびインターロックノッチ３８ｂが設けられる。バックシートフレームを取付けるために補助孔４０ｂが設けられる。バックシート支持部２０ｂは、バックシート支持ピボット２７６によって内側板２７２および外側板２７４の間で角変位可能に支持される。バックシート支持ピボット２７６は、キー付きディスク端２７８、キー付き円筒部分２８０、軸受面２８４を有する第１の円筒部分２８２、および、第２の円筒部分２８６により構成される。支持ピボット２７６は、内側板２７２のキー付き孔２８８、バックシート支持部２０ｂのピボット孔３２、および、外側板２７４のピボット孔２９０を通って受容される。キー付き円筒部分２８０は、内側板２７２のキー付き孔２８８と合わされ、内側板２７２および外側板２７４に対して回転しないように支持ピボット２７６を固定する。第１の円筒部分２８２がバックシート支持部２０ｂのピボット孔３２ｂで合わされることでバックシート支持部２０ｂは軸受面２８４で角変位し、第２の円筒延長部分２８６は、外側板２７４のピボット孔２９０と合わされる。
【００３２】
内側板２７２の上縁２９２および外側板２７４の上縁２９４は、両端にシート２９６が設けられた略アーチ形の形状を有する。バックシート支持部２０ｂが内側板２７２および外側板２７４に対して角変位すると、バックシート支持部２０ｂの孔２９９から延びるポスト２９８はシート２９６に対して当接し、内側板２７２および外側板２７４に対するバックシート支持部２０ｂの更なる角変位運動が防止される。したがって、バックシート支持部２０６の角変位運動範囲が定められ、それは第１の半ＲＦＬ１２によって定められる範囲に等しい。
【００３３】
リクライナ機構１６ｂは、内側板２７２および外側板２７４の間で角変位可能に支持されるつめ７６ｂおよびリクライナカム７８ｂを含む。リクライナカム７８ｂは、つめ７６ｂを選択的に付勢しバックシート支持部２０ｂと係合させ、バックシート支持部２０ｂを定位置に固定する。リクライナカム７８ｂは、作動板３００と動作可能に相互接続されるため、作動板３００の動きはつめ７６ｂと選択的に係合または非係合させるようにリクライナカム７８ｂを同時に動かす。
【００３４】
つめ７６ｂは、ピボット孔１２２ｂ、複数の歯１２４ｂ、係合フラット１２６ｂ、および、非係合凹み１２８ｂを含む。つめ７６ｂの複数の歯１２４ｂは、バックシート支持部２０ｂの複数の歯３６ｂと選択的に係合され、内側板２７２および外側板２７４に対するバックシート支持部２０ｂの複数の角変位位置（すなわち、リクライニング位置）を定める。つめ７６ｂは、軸受面１３４ｂを有する中央円筒部分１３２ｂ、および，より小さい延びる側円筒部分１３６ｂを含むつめスピンドル１３０ｂによって角変位可能に支持される。中央円筒部分１３２ｂは、つめ７６ｂのピボット孔１２２ｂと合わされ、側円筒部分１３６ｂは内側板２７２および外側板２７４の孔３０２にそれぞれ受容される。
【００３５】
リクライナカム７８ｂは、ピボット孔１４０ｂ、係合縁１４４ｂを有する係合アーム１４２ｂ、および、ポスト孔１４８ｂが設けられた作動アーム１４６ｂを含む。リクライナカム７８ｂの係合アーム１４２ｂは、つめ７６ｂの係合フラット１２６ｂおよび非係合凹み１２８ｂと選択的に係合する。作動ポスト１６０ｂは、リクライナカム７８ｂのポスト孔１４８ｂを通って、そこから垂直方向に延在し、作動板３００の作動ノッチ３１０と係合され、内側板２７２および外側板２７４のアーチ形のスロット３１２を通って延びる。リクライナカム７８ｂは、作動ポスト１５０ｂと外側板２７４に形成されるアンカーポイント３１５との間に取付けられるばね３１３によってつめ７６ｂと係合されるように付勢する。作動板３００が中立位置から角変位すると、作動ノッチ３１０が作動ポスト１５０ｂをリクライナカム７８ｂと係合させ、それによってリクライナカム７８ｂが動かされる。係合位置では、リクライナカム７８ｂの係合縁１４４ｂはつめ７６ａの係合フラット１２６ｂに対して押し上げられ、つめ７６ａをバックシート支持部２０ｂと係合させる。非係合位置では、係合アーム１４２ｂは、つめ７６ｂの非係合凹み１２８ｂ内で位置決めされ、つめ７６ｂはバックシート支持部２０ｂから解放させる。
【００３６】
リクライナカム７８ｂは、ピボット１５１ｂ回りに内側板２７２および外側板２７４の間で角変位可能に支持される。ピボット１５１ｂは、中央ディスク部分１５３ｂ、軸受面１５７ｂを有する円筒部分１５５ｂ、および、側円筒部分１５９ｂを含む。ピボット１５１ｂは、ピボット孔１４０ｂを通され、軸受面１５７ｂのまわりでリクライナカム７８ｂを回転可能に支持する。側円筒部分１５９ｂは、ピボット１５１ｂが間で支持されるように内側板２７２および外側板２７４の孔２７７に受容される。
【００３７】
作動板３００は、作動ノッチ３１０、および、キー付きスピンドル孔３１４を含み、第１の半ＲＦＬ１２の作動レバー２６と動作可能に相互接続されるスピンドル３１６によって角変位可能に支持される。スピンドル３１６は、フラット３２０、および、ノッチ３２２が設けられた円錐状の円筒部分３１８、軸受面３２６を有する第２の円筒部分３２４、キー３３０が設けられたキー付き円筒部分３２８、中央ディスク形部分３３２、および、スプラインスピンドル部分３３４を含む。スピンドル３１６は、内側板２７２および外側板２７４の孔３３１、および、スピンドル孔３１４を通って受容され、それによって、キー付き円筒部分３２８のキー３３０はスピンドル孔３１４のキーと合わされ、スピンドル孔３１４でのスピンドル３１６の相対的な回転運動が防止される。伝達ロッド３４０は、第１および第２の半ＲＦＬ１２，１４のスピンドル８８，３１６を動作可能に相互接続する。さらに、第２の作動レバーまたはダイヤル（図示せず）は、第２の半ＲＦＬ１２からＲＦＬ機構１０を作動させるためにスプラインスピンドル部分３３４に取付け可能である。
【００３８】
内側板２７２および外側板２７４を離間するために１対のスペーサ３４１が設けられる。各スペーサ３４１は、中央円筒部分３４３、および、側円筒部分３４５を含む。スペーサ３４１の側円筒部分３４５は、内側板２７２および外側板２７４の孔３４７に受容され、板の間で支持される。中央円筒部分３４３の幅は、内側板２７２および外側板２７４の間の距離を定める。
【００３９】
第２の半ＲＦＬ１２のフロアラッチ部分１４ｂは、解除レバー３５４、および、フロアラッチ機構１８ｂを間で支持する内側板３５０および外側板３５２を含む。フロアラッチ機構１８ｂは、ラッチ解除レバー１８４ｂ、ロッキングレバー１８６ｂ、および、ラッチ１８８ｂを含み、それぞれ支持板１９０ｂの間で角変位可能に支持される。フロアラッチ部分１４ｂは、ピボット３５６回りにブラケット２７０によって角変位可能に支持される。ピボット３５６は、中央キー付き円筒部分３５８、軸受面３６２を有する１対の円筒部分３６０、ノッチ３６６が設けられた内方に延びる円筒部分３６４、および、外方に延びる段付き円筒部分３６８を含む。ピボット３５６は、ブラケット２７０のキー付き孔３７０を通って受容され、その中でのピボット３５６の回転運動が防止される。側円筒部分３６０は、内側板３５０および外側板３５２の対応する孔３７２で受容され軸受面３６２のまわりでの内側板３５０および外側板３５２の回転運動を可能にする。コイルばね３７４は、ブラケット２７０に対してフロアラッチ部分１４ｂを中立位置に付勢する。コイルばね３７４は、ピボット３５６のノッチ３６６内に配置される中央フラット３７６、および、内側板３５０に形成されるアンカーポイント３８０と係合する外方に延びるアーム３７８を含む。さらに、外側板は、作動ケーブルの端を固定する作動ケーブル取付け点３９７を含み、それによりフロアラッチ部分１４ｂはピボット３５６のまわりで角変位する。
【００４０】
上および下スペーサ３８２，３８４は内側板３５０および外側板３５２の間に配置される。各スペーサ３８２，３８４は、中央円筒部分３８６、および、延びる側円筒部分３８８を含む。側円筒部分３８８は、スペーサ３８２，３８４を間で固定するように内側板３５０および外側板３５２の対応する孔３９０内に配置される。スペーサ３８２，３８４は、ブラケット２７０に対するフロアラッチ部分１４ｂの回転運動範囲を制限するように機能することができる。ブラケット２７０は、１対のシート３９４の間に上アーチ形面３９２を含み、１対のシート３９８の間に下アーチ形面３９６を含む。中立位置において、上スペーサ３８２はシート３９４と当接し、下スペーサ３８４はシート３９８と当接する。以下に詳細に説明するように、フロアラッチ部分１４ｂが回転されると、上および下スペーサ３８２，３８４はそれぞれ上および下アーチ形面３９２，３９６回りに回転され、最終的にシート３９４およびシート３９８とそれぞれ当接する。
【００４１】
解除レバー３５４は、ピボット孔４００、ポスト孔４０２、上係合面４０４、および、下係合面４０６を含む。解除レバー３５４は、ピボット４０８によって内側板３５０および外側板３５２の間で角変位可能に支持され、フロアラッチ機構１８ｂとブラケット２７０とを動作可能に相互接続する。ピボット４０８は、第１のキー付き円筒部分４１０、軸受面４１４を有する中央円筒部分４１２、第２のキー付き円筒部分４１６、軸受面４２０を有する第３の円筒部分４１８、および、ノッチ４２４が設けられた円筒部分４２２を含む。第１および第２のキー付き円筒部分４１０，４１６は、内側板３５０および外側板３５２のキー付き孔４２６，４２８にそれぞれ受容されることで、ピボット４０８は内側板および外側板に対して回転可能に固定される。中央円筒部分４１２は、解除レバー３５４のピボット孔４００を通って受容され、軸受面４１４のまわりでの解除レバー３５４の回転運動を可能にする。
【００４２】
解除レバー３５４は、図４に示すように、コイルばね４３０によって反時計回り（ＣＣＷ）に付勢され、上係合面４０４はブラケット２７０の対応する面４３２と係合される。コイルばね４３０は、ピボット４０８のノッチ４２４内に配置される中央フラット４３４、および、付勢ポスト４３８と係合する外方に延びるアーム４３６を含む。付勢ポスト４３８は、解除レバー３５４内に位置し、解除レバー３５４から延在し、内側板３５０のスロット４４０を通って延在し、延在アーム４３６と係合される。このようにコイルばね４３０は、解除レバー３５４を付勢してブラケット２７０と係合させる。
【００４３】
ラッチ解除レバー１８４ａは、ピボット孔４５０、係合スロット４５２、伝達ケーブル取付け点４５４、および、インターロックケーブル取付け点４５６を含む。ラッチ解除レバー１８４ｂは、ピボット４０８によって内側板３５０で角変位可能に支持され、第３の円筒部分４１８はピボット孔４５０を通って受容され、軸受面４２０のまわりでのラッチ解除レバー１８４ｂの回転が可能となる。コイルばね４３０は、ラッチ解除レバー１８４ｂに隣接して配置され、ラッチ解除レバー１８４ｂからウォッシャ４５７によって離間される。ラッチポスト４５８は、ラッチ解除レバー１８４ｂとロッキングレバー１８６ｂとを動作可能に相互接続する。ラッチポスト４５８は、ディスク端４６０、軸受面４６４を有する第１の円筒部分４６２、および、第２の円筒部分４６６を含む。ラッチポスト４５８は、ラッチ解除レバー１８４ｂの係合スロット４５２を通って受容され、係合スロット４５２の縁が軸受面４６４と摺動可能に係合される。以下に説明するように、ラッチポスト４５８は、ロッキングレバー１８６ｂに確実に固定される。インターロックケーブル２６８は、インターロックケーブル取付け点４５６に取付けられ、インターロック板２６０とラッチ解除レバー１８４ｂとを動作可能に相互接続する。
【００４４】
ロッキングレバー１８６ｂは、ピボット孔２０２ｂ、取付け孔２０４ｂ、および、ばね孔２０６ｂを含む。ラッチポスト４５８の第２の円筒部分４６６は、取付け孔２０４ｂ内で確実に固定され、ロッキングレバー１８６とラッチ解除レバー１８４ｂとを動作可能に係合させる。ロッキングレバー１８６ｂは、軸受面２１２ｂを有する中央円筒部分２１０ｂ、および、側円筒部分２１４ｂを含むピボット２０８ｂ回りに角変位可能に支持される。中央円筒部分２１０ｂは、ロッキングレバー１８６ｂのピボット孔２０２ｂ、および、支持板１９０ｂの孔２１６ｂを通って受容される。側円筒部分２１４ｂは、フロアラッチ機構１８ｂが間で支持されるように内側板３５０および外側板３５２の孔４７０で受容される。
【００４５】
ラッチ１８８ｂは、ラッチングノッチ２２０ｂ、ピボット孔２２２ｂ、ばね取付け孔２２４ｂ、ロッキング面２２２ｂ、および、カム面４７４を有する上方に延びる解除カム４７２を含む。ラッチ１８８ｂは、軸受面２３２ｂを有する中央円筒部分２３０ｂ、および、側円筒部分２３４ｂを含むピボット２２８ｂ回りに支持板１９０ｂで角変位可能に支持される。中央円筒部分２３０ｂは、ラッチ１８８ｂのピボット孔２２２ｂを通って受容され、側円筒部分２３４ｂは支持板１９０ｂの孔２３５ｂを通って受容され内側板３５０および外側板３５２の孔４７６を通され、フロアラッチ機構１８ｂが間で支持される。ばね４７８は、ロッキングレバー１８６ｂとラッチ１８８ｂとの間で固定される。このようにして、ロッキングレバー１８６ａのロッキングナブ２４０ｂは、ラッチ１８８ｂを固定するように付勢されラッチ１８８ｂのロッキング面２２６ｂと係合される。カム面４７４は、解除レバー３５４の下係合面４０６と選択的に係合され、コイルばね４３０の付勢力に対して解除レバー３５４の作動を可能にする。
【００４６】
各支持板１９０ｂは、上フラット２４４ｂおよび外方アンカー延長部２４６ｂを有するストライカ凹み２４２ｂを含む。アンカー延長部２４６ｂは、フロアラッチ機構１８ｂを間で支持するように内側板３５０および外側板３５２の対応する孔４８０内に位置される。以下に詳細に説明するように、内側板３５０および外側板３５２は、ストライカを受容するストライカ孔４８２をそれぞれ含む。
【００４７】
図２、４、７、および、８を参照してＲＦＬ機構の動作を詳細に説明する。各図において、内部構成要素を明瞭にするために外側板２４，２７４，３５２は除去されていることに注意する。最初に、第１の半ＲＦＬの作動レバー２６または第２の半ＲＦＬの作動レバー（図示せず）のいずれかが、バックシート支持部２０ａ，２０ｂのリクライニングまたは前方への倒し運動を可能にするように第１の位置に動作可能である。ここで、いずれか一方の作動レバーを作動させると、スピンドル８８，３１６の相互接続を介して他方の作動レバーも同時に作動されることに注意する。第１の位置への動作は、つめ７６ａ，７６ｂをバックシート支持部２０ａ，２０ｂから解放させるようにリクライナカム７８ａ，７８ｂを動作させる。バックシート支持部２０ａ，２０ｂからつめ７６ａ、７６ｂが解放されることにより、バックシート支持部２０ａ，２０ｂはコイルばね６２の付勢力に対してリクライニングされ、または、バックシート支持部２０ａ，２０ｂが前方へ倒される。
【００４８】
作動レバーが第２の位置にさらに動かされると、フロアラッチ機構１８ａ，１８ｂが動作される。第１の半ＲＦＬ１２の作動レバー２６が第２の位置に移動されると、図７に示すように、伝達レバー１６０は、ラッチ解除レバー１８４ａを介してフロアラッチ機構１８ａを同時に作動させ、ラッチ解除レバー１８４ｂを介してフロアラッチ解除機構１８ａ，１８ｂを作動させるように伝達ケーブル１８２を引っ張るように作動される。ラッチ解除レバー１８４ａ，１８４ｂの作動は、ばね２３８，４７８の付勢に対してロッキングレバー１８６ａ，１８６ｂを引っ張り、ロッキングナブ２４０ａ，２４０ｂはラッチ１８８ａ，１８８ｂのロッキング面２２６ａ，２２６ｂと非係合される。このようにして、ラッチ１８８ａ，１８８ｂは、図７および図８に示すように、ピボット２２８ａ，２２８ｂ回りに角変位し、開位置に向かう。ラッチ１８８ｂの角変位により、図８に示すように、ラッチ１８８ｂのカム面４７４を解除レバー３５４と係合させ、ブラケット２７０から解除レバー３５４を解放させる。
【００４９】
上述したように、フロアラッチ機構１８ａ，１８ｂのいずれかが完全に固定されていない場合、インターロック板２６０は、バックシート支持部２０ａ，２０ｂが使用または直立位置に戻ることを防止する。特に、第１の半ＲＦＬ１２のフロアラッチ解除機構１８ａが完全に固定されていない場合、伝達レバー１６０は半作動位置で保持され、それにより、フロアラッチ機構１８ｂのラッチ解除レバー１８４ｂは伝達ケーブル１８２を通じて半作動位置で保持される。ラッチ解除レバー１８４ｂが半作動位置にあることでインターロックケーブル２６８はたるみ、バックシート支持部２０ａに対してインターロック板２６０を上方向に付勢させる。同様にして、第２の半ＲＦＬ１４のフロアラッチ解除機構１８ｂが完全に固定されていない場合、ラッチ解除レバー１８４ｂは半作動位置で保持され、インターロックケーブル２６８が同様にたるむ。
【００５０】
図９〜図１１を参照してＲＦＬ機構１０を実施するシート組立体５００を詳細に説明する。シート組立体５００は、バックシート支持部２０ａ，２０ｂに確実に取付けられるバックシートフレーム５０２、および、第１および第２の半ＲＦＬ１２，１４に確実に取付けられるシートフレーム５０４を含む。シートフレーム５０４は、ピボット軸Ｙ回りに、床５０８に固定される１対のブラケット５０６に角変位可能に取付けられる。床５０８は、ストライカ５１２がそれぞれの中に確実に設けられる凹み５１０を有する。ストライカ５１２は、フロアラッチ機構１８ａ，１８ｂと整列され、また、選択的に係合される。
【００５１】
作動ケーブル５１４（隠れ線で示される）は、一方のブラケット５０６とフロアラッチ部分１４ｂとを動作可能に相互接続する。特定的には、ケーブルの第１の端５１３は、ブラケット５０６のアンカーポイント５１６と相互接続され、シートフレーム５０２の長さにわたって延びる。ケーブル５１４の第２の端５１５は、外側板３５２の作動ケーブル取付け点３９７に固定される。作動ケーブル５１４を介するリクライナ部分１４ｂとブラケット５０６との間の動作可能な相互接続は、以下に説明するように、ピボット３５６回りにブラケット２７０でのリクライナ部分１４ｂの角変位を可能にする。
【００５２】
シート組立体５００を積み込み位置にダンピングさせるためには、上述するように、シートフレーム５０４に対してバックシートフレーム５０２を前方に倒すために、バックシート支持部２０ａ，２０ｂを最初に解除するようにＲＦＬ機構１０が作動される。バックシートフレーム５０２が前方に倒された位置でＲＦＬ機構１０がさらに作動され、ストライカ５１２からフロアラッチ機構１８ａ，１８ｂを解放させる。ストライカ５１２が解放されると、シート組立体５００はピボット軸Ｙ回りに積み込み位置にダンピングされる。シート組立体５００が前方に角変位すると、作動ケーブル５１４はブラケット５０６によって引っ張られ、それによって、リクライナ部分１４ｂが引っ張られる。このようにして、リクライナ部分１４ｂは、コイルばね３７４の付勢に対してピボット３５６で角変位することで引っ込められ、シートフレーム５０４に隣接してリクライナ部分１４ｂを積み込みさせる。
【００５３】
本発明の説明は、本質的には例示するに過ぎず、したがって、本発明の主旨から逸脱しない変形例も本発明の範囲内にあることが理解されるであろう。そのような変形例は、本発明の精神および範囲から逸脱しない。
【図面の簡単な説明】
【００５４】
【図１】本発明の原理によるリクライナおよびフロアラッチ機構の斜視図である。
【図２】外側板が除去された図１のリクライナおよびフロアラッチ機構の第１の半分の側面図である。
【図３Ａ】リクライナおよびフロアラッチ機構の第１の半分の分解図である。
【図３Ｂ】リクライナおよびフロアラッチ機構の第１の半分のリクライナ構成要素の詳細分解図である。
【図３Ｃ】リクライナおよびフロアラッチ機構の第１の半分のフロアラッチ構成要素の詳細分解図である。
【図４】外側板が除去された図１のリクライナおよびフロアラッチ機構の第２の半分の側面図である。
【図５Ａ】リクライナおよびフロアラッチ機構の第２の半分の分解図である。
【図５Ｂ】図５Ａのリクライナ構成要素の詳細図である。
【図６Ａ】リクライナおよびフロアラッチ機構の第２の半分のフロアラッチ構成要素の詳細分解図である。
【図６Ｂ】図６Ａのフロアラッチ構成要素の詳細図である。
【図７】完全に作動状態にあるリクライナおよびフロアラッチ組立体の第１の半分の側面図である。
【図８】完全に作動状態にあるリクライナおよびフロアラッチ組立体の第１の半分の側面図である。
【図９】本発明によるリクライナおよびフロアラッチ組立体を含むシート組立体の側面図である。
【図１０】部分的にダンピングされた位置にある図９のシート組立体の側面図である。
【図１１】完全にダンピングされた位置にある図７のシート組立体の側面図である。
【図１】
2005511377.tif 000003
【図２】
2005511377.tif 000004
【図３Ａ】
2005511377.tif 000005
【図３Ｂ】
2005511377.tif 000006
【図３Ｃ】
2005511377.tif 000007
【図４】
2005511377.tif 000008
【図５Ａ】
2005511377.tif 000009
【図５Ｂ】
2005511377.tif 000010
【図６Ａ】
2005511377.tif 000011
【図６Ｂ】
2005511377.tif 000012
【図７】
2005511377.tif 000013
【図８】
2005511377.tif 000014
【図９】
2005511377.tif 000015
【図１０】
2005511377.tif 000016
【図１１】
2005511377.tif 000017
【国際調査報告】
2005511377.tif 000018